(57)【要約】【課題】熱交換された調温空気を室内の特定領域に集中的に吹き出し可能とする。【解決手段】室内熱交換器１を３つに分割し、これら分割した副熱交換器１ａおよび主熱交換器１ｂ，１ｃに対応して、本体下部側の空気吹出し口を３つに分割して、中央のスポット空気吹出し口２と、上下風向板５，６を有する左右両側の主空気吹出し口３，４とし、スポット冷房運転およびスポット暖房運転時には、副熱交換器１ａにのみ冷媒を流すとともに、上下風向板５，６により左右両側の主空気吹出し口３，４を閉じる。【選択図】　　図１
2004116977.tif 000002
【特許請求の範囲】
【請求項１】
圧縮機，四方弁，室外熱交換器，膨張弁および室内熱交換器を含む可逆式冷凍サイクルを備え、室内機の空気吸入口と空気吹出し口とを結ぶ空気通路内に、上記室内熱交換器が室内ファンとともに配置されている空気調和機において、
上記空気吹出し口が、室内の特定領域に向けて空気を集中して吹き出すひとつのスポット空気吹出し口および２つの主空気吹出し口の少なくとも３つに区画されているとともに、上記室内熱交換器が、上記スポット空気吹出し口に対応するひとつの副熱交換器および上記各主空気吹出し口に対応する２つの主熱交換器の少なくとも３つに分割されており、
上記各主熱交換器が減圧器を介して直列に接続された状態で上記副熱交換器に対してさらに直列に接続され、
上記副熱交換器と上記膨張弁との間には、開閉弁を有するバイパス管路が上記各主熱交換器に対して並列的に接続されており、
少なくとも上記室内側減圧器，上記開閉弁および上記膨張弁を制御する制御手段を備え、
上記制御手段により、当該空気調和機の運転モードのひとつとして、上記冷凍サイクルの冷媒を上記副熱交換器のみに流し、上記スポット空気吹出し口より調温された空気を室内の特定領域に向けて集中的に吹き出し可能としたことを特徴とする空気調和機。
【請求項２】
上記スポット空気吹出し口には、空気吹き出し面積が上記主空気吹出し口よりも小さく、かつ、空気吹き出し方向に伸縮し、上下方向に可動な送風ガイド筒が設けられている請求項１に記載の空気調和機。
【請求項３】
上記スポット空気吹出し口が上記空気吹出し口の中央に配置され、その両側に上記主空気吹出し口が配置されている請求項１または２に記載の空気調和機。
【請求項４】
上記主空気吹出し口内には少なくとも上下風向板が設けられており、特定運転モード時には、上記上下風向板によって上記主空気吹出し口を閉じて、上記スポット空気吹出し口から集中的吹き出しを可能とした請求項１，２または３に記載の空気調和機。
【請求項５】
上記スポット空気吹出し口により特定領域の集中的吹き出す制御において、リモコンから上記制御手段に指示を与え、集中的吹き出しのみか、もしくは上記主空気吹出し口内の上下風向板を制御して同主空気吹出し口からの送風を加えるかを選択可能とした請求項１ないし４のいずれか１項に記載の空気調和機。
【請求項６】
上記スポット空気吹出し口により特定領域の集中的吹き出す制御において、上記制御手段は、その集中的吹き出し時間が所定値に達したとき、もしくは室温と設定温度の差が所定値以内になったときに、上記主空気吹出し口内の上下風向板を制御して同主空気吹出し口からの送風を加えるようにした請求項１ないし５のいずれか１項に記載の空気調和機。
【請求項７】
上記スポット空気吹出し口により特定領域の集中的吹き出す制御において、上記制御手段は、リモコンからの指示、その集中的吹き出し時間もしくは室温と設定温度との差のいずれかに基づいて上記開閉弁を開閉して、集中的吹き出しあるいは全体的吹き出しを選択する請求項１ないし６のいずれか１項に記載の空気調和機。
【請求項８】
上記全体的吹き出しを行う場合、上記制御手段は、上記減圧器をさらに開閉制御する請求項７に記載の空気調和機。
【請求項９】
冷房除湿運転モード時において、上記制御手段は、上記開閉弁を閉じ、上記膨張弁を全開にし、上記減圧器を絞り制御して上記副熱交換器および上記主熱交換器のうち同減圧器よりも上記副熱交換器側の主熱交換器を蒸発器とし、残りの主熱交換器を上記室外熱交換器と同じ凝縮器とし、上記空気吹き出し口から冷風を吹き出すようにした請求項１ないし８のいずれか１項に記載の空気調和機。
【請求項１０】
暖房除湿運転モード時において、上記制御手段は、上記開閉弁手段を閉じ、上記膨張弁を全開にし、上記減圧器を絞り制御して上記副熱交換器および上記主熱交換器のうち同減圧器よりも上記副熱交換器側の主熱交換器を凝縮器とし、残りの主熱交換器を上記室外熱交換器と同じ蒸発器とし、上記空気吹き出し口から温風を吹き出すようにした請求項１ないし８のいずれか１項に記載の空気調和機。
【請求項１１】
除霜運転モード時において、上記制御手段は、上記弁手段を開くとともに、上記減圧器を閉じ、上記バイパス管を介して上記副室内熱交換器のみに冷媒を流し、上記主空気吹き出し口内の上下風向板を閉じて、上記スポット空気吹出し口からのみ温風を吹き出す請求項１ないし８のいずれか１項に記載の空気調和機。
【請求項１２】
上記スポット空気吹出し口に設けられている送風ガイド筒を所定方向に駆動する筒体駆動手段を備え、リモコンの操作に応じて上記筒体駆動手段を駆動して上記送風ガイド筒の長さおよび／または方向を調整可能とした請求項１ないし１１のいずれか１項に記載の空気調和機。
【請求項１３】
上記室内ファンとして、上記主空気吹出し口用のクロスフローファンとは別に、上記スポット空気吹出し口専用のクロスフローファンを備えている請求項１ないし１２のいずれか１項に記載の空気調和機。
【発明の詳細な説明】
【０００１】
【発明の属する技術分野】
本発明は、冷風や温風などを吹き出して室温コントロールを行う空気調和機に関し、さらに詳しく言えば、複数の空気吹出し口を有し、そのうちの一つを集中的吹き出し（スポット吹き出し）として、使用者などの利便性の向上を図るようにした空気調和機に関するものである。
【０００２】
【従来の技術】
空気調和機の室内機は、空気吸込口と空気吹き出し口とを備えているが、一般的に空気吹き出し口はひとつであり、その空気吹き出し口内に、風向きを変えるための上下風向板や左右風向板が設けられている。
【０００３】
風向板の操作の一例として、暖房運転時には、暖風が上昇しやすく足元が温まりにくいことから、吹き出し方向を下向きとし、その足元の温度を上げるようにする。冷房運転時には、逆に吹き出し方向を上向きとし、冷風が床面側に滞留しないようにする。
【０００４】
このように、空気吹出し口内に上下風向板や左右風向板を設けることにより、室内環境を快適状態とし、また、その維持が可能であるが、風向きを変えるにしても、空気吹出し口全体の向きを変えるものであるため、室内の特定領域に対して集中的に冷風や温風などを吹き出すことができない。
【０００５】
そこで、空気吹出し口を複数個とした構造の空気調和機が提案されている（例えば、下記の特許文献１参照）。この従来技術としての空気調和機において、その室内機には、上部および下部に空気吹き出し口を備え、暖房運転時には、熱交換した温風を下部の吹き出し口から吹き出すことにより、使用者などの足元を集中的に暖めることができる。
【０００６】
【特許文献１】
特開平１１―６３６２９号公報（第２図）
【０００７】
【発明が解決しようとする課題】
しかしながら、上述した空気調和機においては、複数の空気吹出し口を持つにしても、上部および下部の空気吹出し口が、それぞれ室内機の横方向一杯にワイドに形成されており、室内の上部全体もしくは下部全体に対して調温空気を送ることができるが、室内の特定領域に対して集中的（スポット的）な吹き出しができず、例えば室内機の前に立っている使用者などに対して強力冷風や温風などを集中的に吹き出すことができないという欠点がある。
【０００８】
特に、夏季にあっては使用者などが風呂上がりに強力な冷風を直接的に受けたいことがあり、冬季にあっては温風を直接的に受けたいこともままあるが、従来の空気調和機では、このような要望に応えることができない。
【０００９】
本発明は、上記課題を解決するためになされたものであり、その目的は、室内の特定領域に対して集中的（スポット的）に冷風や温風などを吹き出し可能とする特定運転モードを備えた空気調和機を提供することにある。
【００１０】
【課題を解決するための手段】
上記目的を達成するために、本発明は、圧縮機，四方弁，室外熱交換器，膨張弁および室内熱交換器を含む可逆式冷凍サイクルを備え、室内機の空気吸入口と空気吹出し口とを結ぶ空気通路内に、上記室内熱交換器が室内ファンとともに配置されている空気調和機において、上記空気吹出し口が、室内の特定領域に向けて空気を集中してに吹き出すひとつのスポット空気吹出し口および２つの主空気吹出し口の少なくとも３つに区画されているとともに、上記室内熱交換器が、上記スポット空気吹出し口に対応するひとつの副熱交換器および上記各主空気吹出し口に対応する２つの主熱交換器の少なくとも３つに分割されており、上記各主熱交換器が減圧器を介して直列に接続された状態で上記副熱交換器に対してさらに直列に接続され、上記副熱交換器と上記膨張弁との間には、開閉弁を有するバイパス管路が上記各主熱交換器に対して並列的に接続されており、少なくとも上記室内側減圧器，上記開閉弁および上記膨張弁を制御する制御手段を備え、上記制御手段により、当該空気調和機の運転モードのひとつとして、上記冷凍サイクルの冷媒を上記副熱交換器のみに流し、上記スポット空気吹出し口より調温された空気を室内の特定領域に向けて集中的に吹き出し可能としたことを特徴としている。
【００１１】
本発明において、上記スポット空気吹出し口には、空気吹き出し面積が上記主空気吹出し口よりも小さく、かつ、空気吹き出し方向に伸縮し、上下方向に可動な送風ガイド筒が設けられていることが好ましい。
【００１２】
また、上記スポット空気吹出し口が上記空気吹出し口の中央に配置され、その両側に上記主空気吹出し口が配置されていることが好ましい。また、特定運転モード時には、上記主空気吹出し口内に設けられている上下風向板を閉じることにより、上記スポット空気吹出し口からより多くの調温空気を集中的吹き出しすることができる。これとは反対に、上記上下風向板を開けることにより、上記主空気吹き出し口からの送風を加えることができる。
【００１３】
本発明においては、上記スポット空気吹出し口からの集中的吹き出しのみか、もしくは上記主空気吹出し口内の上下風向板を開いて同主空気吹出し口からの送風を加えるかの選択をリモコンによって行うことができる。
【００１４】
また、集中的吹き出し時間が所定値に達したとき、あるいは室温と設定温度の差が所定値以内になったときに、上記上下風向板を制御して送風を加えるようにすることもできる。これにより、冷え過ぎ、あるいは温まり過ぎを防止することができる。
【００１５】
本発明において、冷房除湿運転モード時には、上記開閉弁を閉じるとともに、上記膨張弁を全開にし、上記減圧器を絞り制御して上記副熱交換器および上記複数の主熱交換器のうち同減圧器よりも副熱交換器側の主熱交換器を蒸発器とし、残りの主熱交換器を室外熱交換器と同じ凝縮器とし、上記空気吹き出し口から冷風を吹き出させる。これによれば、冷房能力をそれほど低下させることなく、除湿を行うことができる。
【００１６】
暖房除湿運転モード時には、上記開閉弁を閉じるとともに、上記膨張弁を全開にし、上記減圧器を絞り制御して上記副熱交換器および上記複数の主熱交換器のうち同減圧器よりも副熱交換器側の主熱交換器を凝縮器とし、残りの主熱交換器を室外熱交換器と同じ蒸発器として、上記空気吹き出し口から温風を吹き出させる。これにより、暖房能力がそれほど低下することなく、除湿を行うことができる。
【００１７】
また、除霜運転モード時では、上記開閉弁を開くとともに、上記減圧器を閉じ、上記バイパス管を介して上記補助室内熱交換器のみに冷媒を流し、上記上下風向板を制御して上記主空気吹出し口を閉じて、上記スポット空気吹出し口からのみ温風を吹き出させることにより、室内温度を低下させることなく、上記室外熱交換器の霜が速やかに除去される。
【００１８】
本発明によると、上記スポット空気吹出し口に設けられている送風ガイド筒を所定方向に駆動する筒体駆動手段を備え、リモコンの操作に応じて上記筒体駆動手段を駆動して上記送風ガイド筒の長さおよび／または方向を任意に調整することができる。
【００１９】
また、上記室内ファンは、上記スポット空気吹出し口および上記主空気吹出し口に対して共用されてよいが、これ以外の構成として、上記主空気吹出し口用のクロスフローファンとは別に、上記スポット空気吹出し口専用のクロスフローファンを備えた構成であってもよい。
【００２０】
【発明の実施の形態】
以下、図１ないし図１９に基づいて、本発明の実施形態を詳細に説明する。図１は本発明における室内機の内部構造を概略的に示す斜視図、図２は本発明の空気調和機が備える冷凍サイクルを示すブロック図、図３は本発明による空気調和機の制御系を示すブロック図である。
【００２１】
ます、図１を参照して、本発明による空気調和機の室内機は、室内熱交換器１を横方向に複数に分割（例えば３分割）するとともに、これに対応して本体下部側の空気吹出し口を複数個（例えば３つ）に分割し、少なくともひとつの空気吹き出し口から集中的吹き出し可能としている。
【００２２】
すなわち、空気吹出し口２，３，４は、各室内熱交換器１ａ，１ｂ，１ｃに対応しているが、その中央の空気吹出し口２は筒形状のスポット空気吹出し口で中央の室内熱交換器（副熱交換器）１ａと対応している。
【００２３】
このスポット空気吹出し口２の両側の空気吹出し口３，４は、横長の形状の主空気吹出し口で、副熱交換器１ａの両側の熱交換器（主熱交換器）１ｂ，１ｃと対応している。また、これら主空気吹出し口３，４内には、それぞれ上下風向板５，６が設けられている。
【００２４】
なお、この例とは異なり、主空気吹出し口３，４を隣り合わせに配置し、その脇にスポット空気吹出し口２を配置してもよい。その場合、主空気吹出し口３，４をひとつの空気吹出し口として一連に形成してもよい。また、主空気吹出し口３，４内には、上下風向板５，６のほかに左右風向板が設けられてもよい。
【００２５】
上記室内熱交換器１ａ，１ｂ，１ｃは、空気吸入口と空気吹き出し口２，３，４との間の空気通路内に本体の前面側から背面側にかけて配置され、それら室内熱交換器１ａ，１ｂ，１ｃの内側には、クロスフローファンからなる室内ファン７が配置されている。
【００２６】
図２を参照して、室内熱交換器１ａ，１ｂ，１ｃは順次直列に接続してなるが、左右の室内熱交換器（主熱交換器）１ｂ，１ｃを接続する配管には減圧器８が設けられ、また、室内熱交換器（副熱交換器）１ａにのみ冷媒を流すために主熱交換器１ｂ，１ｃをバイパスするバイパス管９が設けられているとともに、このバイパス管９には双方向電磁弁（開閉弁）１０が設けられている。
【００２７】
図３を参照して、この空気調和機の制御装置は、室内機側の制御回路１１および室外機側の制御回路１２を備え、リモコン１３からのリモコン信号に応じて室温コントロールに必要な制御を行い、また、上下風向板５，６を制御して主空気吹出し口３，４を塞ぎ、中央のスポット空気吹出し口２から室内の特定領域（狭い領域）に対して集中的に冷風あるいは温風などを吹き出す制御を行う。
【００２８】
上記室内機は壁掛け型であり、中央のスポット空気吹出し口２には、図１の破線矢印に示すように、空気吹出し方向に伸縮可能であるとともに、上下方向にも可動な送風ガイド筒２ａが設けられている。室内機の他の構成として、本体の前面側にはリモコン１３からのリモコン信号を受信する受信部などが備えられている。
【００２９】
上記室外機の方には、上記副熱交換器１ａおよび主熱交換器１ｂ，１ｃとともに可逆的な冷凍サイクルを構成する四方弁１４、圧縮機１５および室外熱交換器１６と、電子膨張弁１７と、室外ファン１８とを備えている。
【００３０】
上記室内機の制御系の制御回路１１は、リモコン１３の設定操作に応じて上下風向板５，６および室内ファン７を制御し、室温と設定温度の差に応じた圧縮機の運転コードなどを室外機側の制御回路１２に送信するとともに、その制御回路１２との間で室温コントロールに必要な信号の授受を行い、またリモコン１３の設定操作に応じてスポット吹き出し制御を実行する。
【００３１】
そのために、制御回路１１は、リモコン信号により制御判別し、左右の上下風向板５，６、室内ファン７、減圧器８、双方向電磁弁１０を制御する機能を備え、また、送風ガイド筒２ａを適宜伸縮方向および／または上下方向に駆動するにモータ、ギヤあるいはスライド機構などからなるスポット伸縮駆動部１９を制御する機能を備えている。制御回路１２は、室内機側からの運転モードなどを判別し、四方弁１４，圧縮機１５，電子膨張弁１７および室外ファン１８を制御する機能を備えている。
【００３２】
次に、本発明の空気調和機の動作を図４ないし図６、図１０および図１２ないし図１４の冷凍サイクル構成図、図７ないし図９および図１７ないし図１９の室内機の模式的正面図を参照して説明する。
【００３３】
まず、通常の冷房運転モードの場合には、減圧器８を全開状態として、四方弁１４を図４の状態に切り替える。これにより、図４の実線矢印に示すように、圧縮機１５からの冷媒が四方弁１４→室外熱交換器１６→電子膨張弁１７→主熱交換器１ｃ→主熱交換器１ｂ→減圧器８→副熱交換器１ａ→四方弁１４の順に流れ、圧縮機１５に戻る。
【００３４】
これにより、室外熱交換器１６が凝縮器となり、副熱交換器１ａおよび主熱交換器１ｂ，１ｃの全てが蒸発器となり、上下風向板５，６および室内ファン７が制御されることで、主空気吹出し口３，４からは冷風が吹き出され、また、スポット空気吹出し口２からも冷風が吹き出される。
【００３５】
また、通常の暖房運転モードの場合には、減圧器８を全開状態として、四方弁１４を図５の状態に切り替える。これにより、図５の破線矢印に示すように、圧縮機１５からの冷媒が四方弁１４→副熱交換器１ａ→主熱交換器１ｂ→減圧器８→主熱交換器１ｃ→電子膨張弁１７→室外熱交換器１６→四方弁１４の順に流れ、圧縮機１５に戻る。
【００３６】
この場合、補助熱交換１ａおよび主熱交換器１ｂ，１ｃの全てが凝縮器となり、室外熱交換器１６が蒸発器となることから、主空気吹出し口３，４からは温風が吹き出され、また、スポット空気吹出し口２からも温風が吹き出される。
【００３７】
ところで、スポット冷房運転モード時においては、図６に示すように、左右の上下風向板５，６を上向きに制御して主空気吹出し口３，４を塞ぐようにし、減圧器８を全閉状態にするとともに、双方向電磁弁１０を開き、他部については上述した通常の冷房運転と同様に制御する。
【００３８】
すると、主熱交換器１ｂ，１ｃには冷媒がながれず、その冷媒がバイパス管９を介して副熱交換器１ａに流れ、副熱交換器１ａのみが蒸発器となり、この副熱交換器１ａによって熱交換された冷風がスポット空気吹出し口２から吹き出される。
【００３９】
その冷風は、送風ガイド筒２ａが向いている方向に吹き出され、つまり室内の特定領域に対して吹き出され、しかも冷媒が副熱交換器１ａにのみ流れるために熱交換が大きく、通常より低い温度の冷風がスポット空気吹出し口２から吹き出される。このようにして、室内の特定領域（例えば室内機の前に居る使用者など）に対して集中的に冷風を吹き出すことにより、強力な冷風を使用者などに当てることができる。
【００４０】
好ましくは、図７に示すように、運転開始時に送風ガイド筒２ａの向きを多少下向きとし、スポット冷房を使用者などに直接当てて素早く冷やすようにするよい。そして、所定時間が経過すると、図８に示すように、閉じていた左右の主空気吹出し口３，４を開くように上下風向板５，６を制御する。このとき、送風ガイド筒２ａの向きを若干上向きとしたうえで、減圧器８を開として通常の冷房運転に切り替えるとよい。
【００４１】
これにより、冷風が左右からも吹き出され、室内環境の向上が図れ、しかも使用者などが冷え過ぎてしまうこともない。室温が設定温度に達すれば、冷房モードから送風モードに切り替え、また、送風ガイド筒２ａの向きを水平方向とすることにより、室内環境が最適に維持される。したがって、上記スポット冷房運転は、省エネルギ健康冷房と言うことができる。
【００４２】
スポット暖房運転モード時においては、図１０に示すように、冷凍サイクルを図６に示すスポット冷房運転と逆にする（図１０の破線矢印参照）。なお、送風ガイド筒２ａの向きはスポット冷房運転時よりも下向きにするとよい。これより、スポット空気吹出し口２からは温風が吹き出され、送風ガイド筒２ａにより絞られた通常より高い温度の温風が使用者に吹き付けられる。
【００４３】
また、上記スポット暖房運転モードにあっては、上述したスポット冷房運転と同様に、所定時間が経過すると、左右の上下風向板５，６の向きを制御して左右の主空気吹出し口３，４からも温風を吹き出すことが好ましい。そして、室温が設定温度に達すれば、暖房モードから送風モードに切り替える。
【００４４】
なお、上記スポット暖房運転モード時において、図１１に示すように、左右の上下風向板５，６を上向きにすることにより、左右の主空気吹出し口３，４から送風を利用してサーキュレータにすることができる。
【００４５】
この場合、送風ガイド筒２ａの向きは変更しないままにするとよい。これにより、室内環境が最適に維持される。したがって、上記スポット暖房運転は、スポット冷房運転と同様に、省エネルギ健康暖房と言うことができる。
【００４６】
また、上記スポット冷房運転モード時において、図１２に示すように、上下風向板５，６を制御して主空気吹出し口３，４を開けることにより、主空気吹出し口３，４からの送風により冷風を攪拌することもできる。
【００４７】
すなわち、室内熱交換器１ａのみに冷媒が流れることから、室内機の中央からはスポット冷風が吹き出され、その両側からは室温と同じ温度の空気が吹き出され、これが扇風機の役割を果たすことになり、特定領域に達したスポット冷風が効率的に室内に循環され、室温の均一化が図られる。
【００４８】
また、上記スポット暖房運転モードにおいて、図１３に示すように、冷凍サイクルを図１２に示すスポット冷房と送風を合わせた運転と逆にすることにより、室内機の中央からはスポット温風が吹き出され、その両側からは室温と同じ温度の空気が吹き出され、これがサーキュレータの役割を果たす。
【００４９】
なお、上記スポット冷房、スポット暖房およびそれら含む運転を行っている場合、リモコン１３によって双方向電磁弁１０を開閉制御可能にしてもよい。これにより、使用者などの好みや室内環境を考慮した運転が行え、利便性の向上および機能拡大が図れるようになる。
【００５０】
この空気調和機の運転モードには、上記の各モードの他に冷房除湿運転モード，暖房除湿運転モードおよびノンストップ暖房運転モードがある。
【００５１】
まず、リモコン１３によって冷房除湿運転が設定された場合、図１４に示すように、電子膨張弁１７を全開状態にする一方、双方向電磁弁１０を閉じ、減圧器８を絞り制御とし、室内熱交換器１ｃを室外熱交換器１６と同じ凝縮器とし、主熱交換器１ｂおよび副熱交換器１ａを蒸発器とする。すなわち、通常の冷房運転時と逆に、減圧器８を絞り制御し、電子膨張弁１７の全開状態とするが、その冷凍サイクルの冷媒は冷房運転と同じ向きに流れるようにする。
【００５２】
このように、室内熱交換器１を凝縮器と蒸発器の混合形式とすることより、冷房の低下を抑えながら、冷房除湿運転を行うことができる。なお、上記双方向電磁弁１０を開くことにより、副熱交換器１ａを加熱し、つまり除湿優先とすることも可能である。
【００５３】
次に、リモコン１３によって暖房除湿運転が設定された場合には、図１５に示すように、電子膨張弁１７を全開状態にする一方、双方向電磁弁１０を閉じ、減圧器８を絞り制御とし、副熱交換器１ａおよび主熱交換器１ｂを凝縮器とし、主熱交換器１ｃを室外熱交換器１６と同じ蒸発器とする。すなわち、通常の暖房運転時と逆に、減圧器８を絞り制御し、電子膨張弁１７の全開状態とするが、その冷凍サイクルの冷媒は暖房運転と同じ向きに流れるようにする。このように、室内熱交換器１を凝縮器と蒸発器の混形式とすることより、冷房の低下を抑えながら、暖房除湿運転を行うことができる。
【００５４】
また、リモコン１３によってノンストップ暖房運転が設定された場合には、図１６に示すように、電子膨張弁１７を全開状態にするとともに、減圧器８を全閉状態とする一方、双方向電磁弁１０を開く。そして、冷媒については暖房運転と同じに流す。これにより、室内熱交換器１の副熱交換器１ａのみに冷媒が流れるため、その副熱交換器１ａが凝縮器となり、室外熱交換器１６には高圧ガスの冷媒が流入する。
【００５５】
この場合、左右の上下風向板５，６を上方向に向けて主空気吹出し口３，４を閉じ、スポット空気吹出し口２からのみ温風を吹き出すようにすることが好ましい。すなわち、暖房能力が低く、それほど高くない温風を多く吹き出すと、空気調和機の異常と誤った判断されることがあるからである。
【００５６】
このノンストップ暖房運転によれば、暖房能力は低くなるが、その分、室外熱交換器１６の除霜能力を高くすることができる。なお、このノンストップ暖房運転にあっては、室外熱交換器１６に多量の霜が付いてしまっている場合には、その除霜を行うことが難しい。したがって、霜が付き始めたらノンストップ暖房運転を行うようにするとよく、例えばその霜付きについは室外熱交換器１６の温度を監視して判断する。
【００５７】
また、上記ノンストップ暖房運転にあっては、例えば図１７に示すように、運転開始時にスポット暖房とし、暖房能力を最小限に抑えるようにする。除霜運転が終了して、例えば室外熱交換器１６の温度が所定値に上昇したら、図１８に示すように、上述したスポット暖房運転によるスポット暖房を使用者などに直接当て、素早く暖める。
【００５８】
そして、所定時間が経過すると、図１９に示すように、閉じていた左右の主空気吹出し口３，４を開くように、上下風向板５，６を制御し、その吹き出し口３，４からも温風を吹き出すようにする。これにより、温風が左右からも吹き出され、室内環境の向上が図れる。
【００５９】
このように、室内機の空気吹き出し口を複数個とし、そのうちのひとつをスポット吹き出し口としており、冷風や温風をそのスポット吹き出し口からのみ吹き出すことにより、その冷風や温風を室内の特定領域（例えば室内の使用者など）に対して集中させることができ、特に湯上がりの使用者などに対し、夏場には素早く冷やして快適感を与え、冬場には速やかに暖めて湯ざめを防止することができる。
【００６０】
また、室内熱交換器を複数に分割し、その間に絞り制御可能な減圧器を設けたことにより、室内熱交換器を凝縮器と蒸発器の組合せた形にすることができ、ひいては除湿や除霜などの効率向上が図れ、ひいては空気調和機の性能向上が図れる。
【００６１】
なお、上述した実施形態では、室内機の室内ファンがひとつであるが、例えばスポット空気吹出し口２の専用ファンを設け、つまり２つの室内ファンを設けるようにしてもよい。また、その送風ガイド筒２ａは円筒形のみでなく、断面正方形や長方形の筒状のものとしてもよい。
【００６２】
この場合、そのスポット専用ファンはスポット空気吹出し口２付近に設け、例えば室内機本体内部側あるいはそのスポット空気吹出し口２の内部に設けるとよい。また、そのスポット専用ファンの制御については、室内ファン７による風量を阻害しないように、その室内ファン７が回転するときには専用ファンも回転させるとよい。
【００６３】
【発明の効果】
以上説明したように、本発明によれば、室内の適温制御を阻害することなく、室内の特定領域に対して集中的に強力な冷風あるいは温風などを吹き出すことができ、空気調和機の機能向上を図ることができる。
【図面の簡単な説明】
【図１】本発明における室内機の内部構造を概略的に示す斜視図。
【図２】本発明の空気調和機の冷凍サイクルを示す概略的なブロック図。
【図３】本発明の空気調和機が備える制御装置を示す概略的なブロック線図。
【図４】上記制御装置の動作を説明するための概略的な冷凍サイクルの構成図。
【図５】上記制御装置の動作を説明するための概略的な冷凍サイクルの構成図。
【図６】上記制御装置の動作を説明するための概略的な冷凍サイクルの構成図。
【図７】上記制御装置により制御される送風ガイド筒および上下風向板を動作を説明するための室内機正面図。
【図８】上記制御装置により制御される送風ガイド筒および上下風向板を動作を説明するための室内機正面図。
【図９】上記制御装置により制御される送風ガイド筒および上下風向板を動作を説明するための室内機正面図。
【図１０】上記制御装置の動作を説明するための概略的な冷凍サイクルの構成図。
【図１１】上記制御装置の動作を説明するための概略的な冷凍サイクルの構成図。
【図１２】上記制御装置の動作を説明するための概略的な冷凍サイクルの構成図。
【図１３】上記制御装置の動作を説明するための概略的な冷凍サイクルの構成図。
【図１４】上記制御装置の動作を説明するための概略的な冷凍サイクルの構成図。
【図１５】上記制御装置の動作を説明するための概略的な冷凍サイクルの構成図。
【図１６】上記制御装置の動作を説明するための概略的な冷凍サイクルの構成図。
【図１７】上記制御装置により制御される送風ガイド筒および上下風向板を動作を説明するための室内機正面図。
【図１８】上記制御装置により制御される送風ガイド筒および上下風向板を動作を説明するための室内機正面図。
【図１９】上記制御装置により制御される送風ガイド筒および上下風向板を動作を説明するための室内機正面図。
【符号の説明】
１　室内熱交換器
１ａ　副熱交換器
１ｂ，１ｃ　主熱交換器
２　スポット空気吹出し口
２ａ　送風ガイド筒
３，４　主空気吹出し口
５，６　上下風向板
７　室内ファン
８　減圧器
９　バイパス管
１０　双方向電磁弁
１１　室内機制御回路
１２　室外機制御回路
１３　リモコン
１４　四方弁
１５　圧縮機
１６　室外熱交換器
１７　電子膨張弁
１８　室外ファン
１９　スポット伸縮駆動部
【図１】
2004116977.tif 000003
【図２】
2004116977.tif 000004
【図３】
2004116977.tif 000005
【図４】
2004116977.tif 000006
【図５】
2004116977.tif 000007
【図６】
2004116977.tif 000008
【図７】
2004116977.tif 000009
【図８】
2004116977.tif 000010
【図９】
2004116977.tif 000011
【図１０】
2004116977.tif 000012
【図１１】
2004116977.tif 000013
【図１２】
2004116977.tif 000014
【図１３】
2004116977.tif 000015
【図１４】
2004116977.tif 000016
【図１５】
2004116977.tif 000017
【図１６】
2004116977.tif 000018
【図１７】
2004116977.tif 000019
【図１８】
2004116977.tif 000020
【図１９】
2004116977.tif 000021